(57)【要約】【課題】現在診ている断面画像に近い解剖図を表示させる医用画像表示装置及び医用画像表示方法並びにプログラムを提供する。【解決手段】医用画像表示装置１０は、モデル被写体の３次元標準画像、前記３次元標準画像に対応する３次元解剖画像、及び生体組織の名称を示す解剖学情報を記録した画像データベース１２と、被検者が撮影された３次元医用画像を取得する画像取得部１４と、ユーザの操作に応じて前記３次元医用画像の医用断面画像を特定する医用断面画像特定部１６と、前記医用断面画像に対応する前記３次元標準画像の標準断面画像を特定する標準断面画像特定部２０と、前記標準断面画像に対応する前記３次元解剖画像の解剖断面画像を特定する解剖断面画像特定部２２と、前記医用断面画像及び前記解剖断面画像を表示部２６に表示させるとともに、前記解剖学情報を用いて、該解剖断面画像上に生体組織の名称を表示させる表示制御部２４とを備える。【選択図】図１
2011160882.tif 000002
【特許請求の範囲】
【請求項１】
モデル被写体の３次元標準画像、前記３次元標準画像に対応する３次元解剖画像、及び生体組織の名称を示す解剖学情報を記録した画像データベースと、
被検者が撮影された３次元医用画像を取得する画像取得部と、
ユーザの操作に応じて前記３次元医用画像の医用断面画像を特定する医用断面画像特定部と、
前記医用断面画像に対応する前記３次元標準画像の標準断面画像を特定する標準断面画像特定部と、
前記標準断面画像に対応する前記３次元解剖画像の解剖断面画像を特定する解剖断面画像特定部と、
前記医用断面画像及び前記解剖断面画像を表示部に表示させるとともに、前記解剖学情報を用いて、該解剖断面画像上に生体組織の名称を表示させる表示制御部と、
を備えることを特徴とする医用画像表示装置。
【請求項２】
請求項１に記載の医用画像表示装置であって、
前記画像データベースは、複数のモデル被写体の前記３次元標準画像、前記３次元標準画像にそれぞれ対応する複数の前記３次元解剖画像、及び生体組織の名称を示す前記解剖学情報を記録しており、
前記標準断面画像特定部は、前記被検者に対応する前記モデル被写体の３次元標準画像の中から、前記医用断面画像に対応する前記標準断面画像を特定し、
解剖断面画像特定部は、特定した前記標準断面画像に対応する解剖断面画像を、前記被検者に対応する３次元解剖画像から特定することを特徴とする医用画像表示装置。
【請求項３】
請求項１又は２に記載の医用画像表示装置であって、
前記標準断面画像特定部は、位置あわせ処理を行うことにより、前記医用断面画像に所定値以上で一致する前記標準断面画像を特定することを特徴とする医用画像表示装置。
【請求項４】
請求項１〜３のいずれか１項に記載の医用画像表示装置であって、
前記３次元医用画像から、前記被検者の体表を抽出する体表抽出部と、
抽出された前記体表と、前記モデル被写体の体表とのズレ量に基づいて、前記医用断面画像を補正する画像補正部と、
をさらに備え、
前記標準断面画像特定部は、前記画像補正部によって補正された前記医用断面画像に対応する前記３次元標準画像の前記標準断面画像を特定し、
前記表示制御部は、前記医用断面画像特定部が特定した補正されていない前記医用断面画像と、前記解剖断面画像とを表示させることを特徴とする医用画像表示装置。
【請求項５】
モデル被写体の３次元標準画像、前記３次元標準画像に対応する３次元解剖画像、及び生体組織の名称を示す解剖学情報を記録した画像データベースを備えたコンピュータが、画像を表示させる医用画像表示方法であって、
被検者が撮影された３次元医用画像を取得する画像取得工程と、
ユーザの操作に応じて前記３次元医用画像の医用断面画像を特定する医用断面画像特定工程と、
前記医用断面画像に対応する前記３次元標準画像の標準断面画像を特定する標準画像断面特定工程と、
前記標準断面画像に対応する前記３次元解剖画像の解剖断面画像を特定する解剖断面画像特定工程と、
前記医用断面画像及び前記解剖断面画像を表示部に表示させるとともに、前記解剖学情報を用いて、該解剖断面画像上に生体組織の名称を表示させる表示制御工程と、
を備えることを特徴とする医用画像表示方法。
【請求項６】
モデル被写体の３次元標準画像、前記３次元標準画像に対応する３次元解剖画像、及び生体組織の名称を示す解剖学情報を記録した画像データベースを備えたコンピュータを、
被検者が撮影された３次元医用画像を取得する画像取得手段と、
ユーザの操作に応じて前記３次元医用画像の医用断面画像を特定する医用断面画像特定手段、
前記医用断面画像に対応する前記３次元標準画像の標準断面画像を特定する標準断面画像特定手段、
前記標準断面画像に対応する前記３次元解剖画像の解剖断面画像を特定する解剖断面画像特定手段、
前記医用断面画像及び前記解剖断面画像を表示部に表示させるとともに、前記解剖学情報を用いて、該解剖断面画像上に生体組織の名称を表示させる表示制御手段、
として機能させることを特徴とするプログラム。
【発明の詳細な説明】
【技術分野】
【０００１】
本発明は、医用画像の断面画像を表示する医用画像表示装置及び医用画像表示方法並びにプログラムに関する。
【背景技術】
【０００２】
従来から、医用画像の分野においては、医者が読影する際に、画像に写っている組織の名前や部位について調べることがよくある。その場合、医師は、アトラス書籍を用いて調べるが、調べるのには時間と手間がかかる。また、アトラス書籍には、典型的な断面図しか記載されておらず、任意の断面画像に対応した断面図はアトラス書籍には記載されてない。したがって、今読影している断面画像に対応する断面図がアトラス書籍に記載されていない場合がある。
【０００３】
特許文献１には、解剖図選択方法及び解剖図選択装置並びに医用ネットワークシステムが記載されている。具体的には、医用画像ＤＢと解剖図ＤＢと属性情報ＤＢとが記録された画像サーバを備え、画像サーバは、解剖図の転送要求を受信すると、転送要求に含まれるファイル名と一致する医用画像を医用画像ＤＢから読み出し、撮影された部位を認識する。該認識した部位と、属性情報ＤＢに記録された部位とが一致する解剖図を、医用画像に最も適した解剖図として選択するというものである。
【先行技術文献】
【特許文献】
【０００４】
【特許文献１】特開２００８−７３３９７号公報
【発明の概要】
【発明が解決しようとする課題】
【０００５】
しかしながら、従来では、読影する任意の断面画像の解剖図画像を表示させることはできない。
【０００６】
そこで本発明は、かかる従来の問題点に鑑みてなされたものであり、読影する断面画像に近い解剖図を表示させる医用画像表示装置及び医用画像表示方法並びにプログラムを提供することを目的とする。
【課題を解決するための手段】
【０００７】
上記目的を達成するために、本発明は、医用画像表示装置であって、モデル被写体の３次元標準画像、前記３次元標準画像に対応する３次元解剖画像、及び生体組織の名称を示す解剖学情報を記録した画像データベースと、被検者が撮影された３次元医用画像を取得する画像取得部と、ユーザの操作に応じて前記３次元医用画像の医用断面画像を特定する医用断面画像特定部と、前記医用断面画像に対応する前記３次元標準画像の標準断面画像を特定する標準断面画像特定部と、前記標準断面画像に対応する前記３次元解剖画像の解剖断面画像を特定する解剖断面画像特定部と、前記医用断面画像及び前記解剖断面画像を表示部に表示させるとともに、前記解剖学情報を用いて、該解剖断面画像上に生体組織の名称を表示させる表示制御部と、を備えることを特徴とする。
【０００８】
前記画像データベースは、複数のモデル被写体の前記３次元標準画像、前記３次元標準画像にそれぞれ対応する複数の前記３次元解剖画像、及び生体組織の名称を示す前記解剖学情報を記録しており、前記標準断面画像特定部は、前記被検者に対応する前記モデル被写体の３次元標準画像の中から、前記医用断面画像に対応する前記標準断面画像を特定し、解剖断面画像特定部は、特定した前記標準断面画像に対応する解剖断面画像を、前記被検者に対応する３次元解剖画像から特定してもよい。
【０００９】
前記標準断面画像特定部は、位置あわせ処理を行うことにより、前記医用断面画像に所定値以上で一致する前記標準断面画像を特定してもよい。
【００１０】
前記３次元医用画像から、前記被検者の体表を抽出する体表抽出部と、抽出された前記体表と、前記モデル被写体の体表とのズレ量に基づいて、前記医用断面画像を補正する画像補正部と、をさらに備えてもよく、前記標準断面画像特定部は、前記画像補正部によって補正された前記医用断面画像に対応する前記３次元標準画像の前記標準断面画像を特定し、前記表示制御部は、前記医用断面画像特定部が特定した補正されていない前記医用断面画像と、前記解剖断面画像とを表示させてもよい。
【００１１】
上記目的を達成するために、本発明は、モデル被写体の３次元標準画像、前記３次元標準画像に対応する３次元解剖画像、及び生体組織の名称を示す解剖学情報を記録した画像データベースを備えたコンピュータが、画像を表示させる医用画像表示方法であって、被検者が撮影された３次元医用画像を取得する画像取得工程と、ユーザの操作に応じて前記３次元医用画像の医用断面画像を特定する医用断面画像特定工程と、前記医用断面画像に対応する前記３次元標準画像の標準断面画像を特定する標準画像断面特定工程と、前記標準断面画像に対応する前記３次元解剖画像の解剖断面画像を特定する解剖断面画像特定工程と、前記医用断面画像及び前記解剖断面画像を表示部に表示させるとともに、前記解剖学情報を用いて、該解剖断面画像上に生体組織の名称を表示させる表示制御工程と、を備えることを特徴とする。
【００１２】
上記目的を達成するために、本発明は、プログラムであって、モデル被写体の３次元標準画像、前記３次元標準画像に対応する３次元解剖画像、及び生体組織の名称を示す解剖学情報を記録した画像データベースを備えたコンピュータを、被検者が撮影された３次元医用画像を取得する画像取得手段と、ユーザの操作に応じて前記３次元医用画像の医用断面画像を特定する医用断面画像特定手段、前記医用断面画像に対応する前記３次元標準画像の標準断面画像を特定する標準断面画像特定手段、前記標準断面画像に対応する前記３次元解剖画像の解剖断面画像を特定する解剖断面画像特定手段、前記医用断面画像及び前記解剖断面画像を表示部に表示させるとともに、前記解剖学情報を用いて、該解剖断面画像上に生体組織の名称を表示させる表示制御手段、として機能させることを特徴とする。
【発明の効果】
【００１３】
本発明によれば、ユーザの操作に応じて、被検者が撮影された３次元医用画像の医用断面画像を特定し、該特定した医用断面画像に対応する３次元標準画像の標準断面画像を特定し、該特定した標準断面画像に対応する３次元解剖画像の解剖断面画像を特定して、医用断面画像及び解剖断面画像を表示部に表示させるとともに、解剖学情報を用いて、該解剖断面画像上に生体組織の名称を表示させるので、読影する医用断面画像に近い解剖図を表示させることができる。
【００１４】
また、画像データベースは、複数のモデル被写体の３次元標準画像、該３次元標準画像にそれぞれ対応する複数の３次元解剖画像、及び生体組織の名称を示す解剖学情報を記録しており、被検者に対応するモデル被写体の３次元標準画像の中から、医用断面画像に対応する標準断面画像を特定し、解剖断面画像特定部は、特定した標準断面画像に対応する３次元解剖画像の解剖断面画像を特定するので、読影する被検者の医用断面画像に近い解剖図を表示させることができる。
【００１５】
３次元医用画像から、被検者の体表を抽出し、抽出された該体表と、モデル被写体の体表とのズレ量に基づいて、医用断面画像を補正して、補正後の該医用断面画像に対応する標準断面画像を特定して解剖断面画像を特定するので、モデル被写体と被検者の体表がズレている場合であっても、読影する医用断面画像に近い解剖断面画像を精度良く特定することができ、医用断面画像に近い解剖図を表示させることができる。
【図面の簡単な説明】
【００１６】
【図１】第１実施の形態の医用画像表示装置の電気的な概略ブロック図である。
【図２】第１実施の形態の医用画像表示装置の動作を示すフローチャートである。
【図３】ユーザによって選択された断面の一例を示す図である。
【図４】特定された標準断面画像の一例を示す図である。
【図５】表示される解剖断面画像及び生体組織の名称の一例を示す図である。
【図６】第２実施の形態の医用画像表示装置の電気的な概略ブロック図である。
【図７】第２実施の形態の医用画像表示装置の動作を示すフローチャートである。
【図８】ユーザによって選択された断面の一例を示す図である。
【図９】特定された標準断面画像の一例を示す図である。
【図１０】表示される解剖断面画像及び生体組織の名称の一例を示す図である。
【発明を実施するための形態】
【００１７】
本発明に係る医用画像表示方法について、それを実施する医用画像表示装置及びプログラムとの関係で好適な実施の形態を掲げ、添付の図面を参照しながら以下、詳細に説明する。
【００１８】
［第１実施の形態］
図１は、第１実施の形態の医用画像表示装置１０の電気的な概略ブロック図である。医用画像表示装置１０は、画像データベース（ＤＢ）１２、画像取得部１４、医用断面画像特定部１６、断面選択部１８、標準断面画像特定部２０、解剖断面画像特定部２２、表示制御部２４、及び表示部２６を備える。情報処理装置（コンピュータ）に所定のプログラムを読み込ませることによって、情報処理装置が、画像取得部１４、医用断面画像特定部１６、標準断面画像特定部２０、解剖断面画像特定部２２、及び表示制御部２４として機能する。
【００１９】
画像データベース１２は、モデル被写体の３次元標準画像、該３次元標準画像に対応する３次元解剖画像、及び生体組織の名称を示す解剖学情報を記録している。３次元標準画像は、医用撮影機器（例えば、Ｘ線ＣＴ装置、ＭＲＩ装置等）で、モデル被写体を撮影して得られた３次元画像である。この３次元画像は、複数のアキシャル断面画像から構成されている。画像データベース１２は、性別及び年齢毎にモデル被写体の３次元標準画像をそれぞれ記録している。また、他の要素別（身長別、体重別等）に３次元標準画像を記録してもよい。
【００２０】
３次元解剖画像は、記録した３次元標準画像に対応する３次元の解剖画像であり、３次元標準画像のモデル被写体の解剖画像である。３次元解剖画像は、３次元標準画像のそれぞれのアキシャル断面画像に対応した解剖図の画像からなる。また、画像データベース１２は、３次元標準画像を複数記録しているので、それに応じて３次元解剖画像も複数記録している。解剖学情報は、被写体の生体組織の名称を示すものであり、画像データベース１２は、３次元解剖画像に示されるぞれぞれの生体組織領域に対応してその名称を示す情報を記録している。
【００２１】
画像取得部１４は、医用撮影機器で被験者が撮影された３次元医用画像を取得する。画像取得部１４は、外部機器から３次元医用画像を取得する。３次元医用画像は、複数のアキシャル断面画像から構成されている。外部機器は医用撮影機器であってもよく、３次元医用画像が記録された記録媒体から取得してもよい。また、画像取得部１４は、取得した３次元医用画像に対応づけて記録されている被験者の性別、年齢、体重、及び身長等の被検者情報も取得する。なお、画像取得部で取得される３次元医用画像と、画像データベース１２が記録されている３次元標準画像は、同じ種類の医用撮影機器（例えば、Ｘ線ＣＴ装置）で撮影されたものである。画像取得部１４は、取得した３次元医用画像を医用断面画像特定部１６に出力する。
【００２２】
医用断面画像特定部１６は、画像取得部１４が取得した３次元医用画像の断面画像（以下、医用断面画像という）をユーザの操作に応じて特定する。ユーザは、断面選択部１８を操作することで、任意の断面を調整して選択し、医用断面画像特定部１６は、３次元医用画像の中から、選択された任意の断面の医用断面画像を特定する。ここで、表示制御部２４は、画像取得部１４が取得した３次元医用画像を表示させ、表示された３次元医用画像をユーザが見ながら、断面選択部１８を操作することで任意の断面を選択してもよい。また、図示しない表示装置が、取得された３次元医用画像を表示させてもよい。医用断面画像特定部１６は、特定した医用断面画像を標準断面画像特定部２０及び表示制御部２４に出力する。
【００２３】
標準断面画像特定部２０は、画像取得部１４が取得した被検者情報（性別、年齢等の情報）を画像取得部１４から取得し、該取得した被検者情報に対応する３次元標準画像を画像データベース１２から取得する。標準断面画像特定部２０は、医用断面画像特定部１６が特定した医用断面画像に対応する３次元標準画像の断面画像（以下、標準断面画像という）を特定する。つまり、３次元標準画像の中から、ユーザが選択した３次元医用画像の断面に対応する断面の標準断面画像を特定する。
【００２４】
具体的には、標準断面画像特定部２０は、位置合わせ処理を行うことで、医用断面画像に所定値以上で一致する標準断面画像を特定する。本実施の形態では、標準断面画像特定部２０は、医用断面画像に所定値以上で一致し、且つ、最も一致する標準断面画像を特定する。なお、所定値以上か否かにかかわらず、最も一致する標準断面画像を単に特定してもよい。位置合わせ処理は、特開２００８−４３５２４号公報に記載されている手法を用いて行ってよい。
【００２５】
特開２００８−４３５２４号公報に記載された技術について簡単に説明する。まず、３次元標準画像の各スライス画像の標準座標位置、及び該スライス画像の標準特徴量を記録する。ここで、特徴量としては、例えば、被検体の体部全体の円形度を示す特徴量、被検体の空気領域の割合を示す空気領域特徴量、被検体の骨領域の割合を示す骨領域特徴量、被検体の軟部組織の割合を示す軟部組織特徴量の４つがある。そして、撮像された断面画像の特徴量を求め、記録されている特徴量の中から、最も一致する特徴量を探索し、該探索した特徴量に対応する座標位置を、該撮像された断面画像の座標位置として記録することで、位置合わせ処理を行う。
【００２６】
解剖断面画像特定部２２は、標準断面画像が特定されると、該標準断面画像に対応する３次元解剖画像の解剖断面画像を特定する。つまり、３次元解剖画像の中から、ユーザが選択した３次元医用画像の断面に対応する断面の解剖断面画像を特定する。解剖断面画像特定部２２は、特定した解剖断面画像を画像データベース１２から読み出して表示制御部２４に出力する。このとき、解剖断面画像特定部２２は、解剖学情報も画像データベース１２から読みだして、表示制御部２４に出力する。
【００２７】
表示制御部２４は、医用断面画像及び解剖断面画像を表示部２６に表示させるとともに、解剖学情報を用いて、解剖断面画像上に生体組織の名称を表示させる。
【００２８】
次に、第１実施の形態の医用画像表示装置１０の動作を図２のフローチャートにしたがって説明する。画像取得部１４は、医用撮影機器で被検者が撮影された３次元医用画像を取得する（ステップＳ１）。このとき、３次元医用画像に対応付けられている被検者情報も取得する。
【００２９】
次いで、標準断面画像特定部２０は、被検者情報に対応する３次元標準画像を画像データベース１２から取得する（ステップＳ２）。次いで、医用断面画像特定部１６は、ユーザの断面選択部１８の操作によって選択された断面の医用断面画像を、ステップＳ１で取得した３次元医用画像の中から特定する（ステップＳ３）。図３は、ユーザによって選択された断面３０の一例を示す図である。ステップＳ３で選択された断面は、アキシャル断面とする。
【００３０】
次いで、標準断面画像特定部２０は、ステップＳ３で選択された医用断面画像に対応する標準断面画像を、ステップＳ２で取得した３次元標準画像の中から特定する（ステップＳ４）。標準断面画像特定部２０は、位置合わせ処理により、所定値以上で一致し、且つ、最も一致する標準断面画像を特定する。これにより、ユーザが３次元医用画像上で選択した断面に対応する３次元標準画像上における断面の場所（位置）がわかる。図４は、特定された標準断面画像の一例を示す図である。
【００３１】
なお、ユーザによって選択された断面がアキシャル断面の場合は、選択された医用断面画像が被検者の頭の天辺からどのくらい離れた位置の断面であるか求め、モデル被写体の頭から該求めた距離だけ離れた位置の断面の画像を標準断面画像として特定してもよい。つまり、３次元医用画像が撮影された被検者と、３次元標準画像のモデル被写体は、同じ性別、年齢、身長等であるので、医用断面画像と標準断面画像はほぼ同じ位置の断面画像となる。
【００３２】
次いで、解剖断面画像特定部２２は、特定した標準断面画像に対応する解剖断面画像を、３次元解剖画像の中から特定して画像データベース１２から取得するともに、解剖学情報を取得する（ステップＳ５）。３次元解剖画像は、３次元標準画像のモデル被写体の解剖図を表した３次元画像なので、標準断面画像が分かれば、３次元解剖画像における断面が分かり、解剖断面画像を特定することができる。
【００３３】
次いで、表示制御部２４は、ステップＳ３で特定した医用断面画像と、ステップ５で取得した解剖断面画像を表示部２６に表示させるとともに、解剖断面画像上に、解剖断面画像に表わされる生体組織の名称を表示させる（ステップＳ６）。
【００３４】
図５は、表示される解剖断面画像及び生体組織の名称の一例を示す図である。図４に示される解剖断面画像は、図４に示す標準断面画像に対応する解剖図であり、それぞれの生体組織に名称が付されているのがわかる。これにより、ユーザが読影する断面医用画像の断面に近い解剖図及び生体組織の名称を表示させるができる、ユーザは読影している断面医用画像の断面に近い解剖図を簡単に見ることができる。
【００３５】
このように、ユーザの操作に応じて、被検者が撮影された３次元医用画像の医用断面画像を特定し、該特定した医用断面画像に対応する３次元標準画像の標準断面画像を特定し、該特定した標準断面画像に対応する３次元解剖画像の解剖断面画像を特定して、医用断面画像及び解剖断面画像を表示部に表示させるとともに、解剖学情報を用いて、該解剖断面画像上に生体組織の名称を表示させるので、選択した医用断面画像に近い解剖図及び生体組織の名称を表示させることができる。
【００３６】
［第２実施の形態］
図６は、第２実施の形態の医用画像表示装置５０の電気的な概略ブロック図である。医用画像表示装置５０は、画像データベース１２、画像取得部１４、医用断面画像特定部１６、断面選択部１８、標準断面画像特定部２０、解剖断面画像特定部２２、表示制御部２４、及び表示部２６を備えるとともに、体表抽出部５２、及び画像補正部５４を備える。なお、図１に示す構成と同一又は同等の構成については、同一の符号を付しその説明を省略する。なお、画像データベース１２は、３次元標準画像のモデル被写体の体表（３次元標準画像におけるモデル被写体の領域）を示す情報が記録されている。
【００３７】
体表抽出部５２は、標準断面画像特定部２０が画像データベース１２から取得する３次元標準画像のモデル被写体の体表を示す情報を画像データベース１２から取得して、画像補正部５４に出力する。また、画像取得部１４が取得した３次元医用画像から、被検者の体表（被検者領域）を抽出して、画像補正部５４に出力する。体表抽出は、基準濃度以上の画像濃度を有する高濃度領域を被写体領域として抽出することで行うことができる。また、基準濃度以上の画像濃度を有する高濃度領域を抽出し、メディアンフィルタを用いた平滑処理を施した後で、各高濃度領域の面積に基づいて被写体領域を抽出することで行うことができる。更に、特開２００９−８２４６３号公報に記載された手法によって行うことができる。特開２００９−８２４６３号公報に記載された技術は、複数の断面画像のそれぞれを、所定の画像濃度を基準として２値化処理を行い、２値化された断面画像に写っている各像を、該断面画像内での他の像との位置関係、及び、他の断面画像に写っている他の像との位置関係に基づいて、被検体内の像からなる第１の像群と、被検体外の像からなる第２の像群とに分類することが体表を抽出するというものである。
【００３８】
画像補正部５４は、体表抽出部５２が取得した３次元標準画像のモデル被写体の体表と、体表抽出部５２が抽出した３次元医用画像の被検者の体表とのズレ量に基づいて、医用断面画像特定部１６が特定した医用断面画像を補正する。このズレ量は、３次元医用画像の被検者の体表が３次元標準画像のモデル被写体の体表と重なるように（同じになるように）、３次元医用画像の被検者の体表を補正するためのズレ量であり、該ズレ量を用いて医用断面画像を補正する。
【００３９】
被検者と同じ性別、年齢等のモデル被写体の３次元標準画像を用いた場合であっても、個人差や、撮影時の姿勢によって３次元医用画像と３次元標準画像とにズレが生じてしまい、特定した医用断面画像に近い３次元標準画像の標準断面画像の特定精度が低下する可能性があるので、医用断面画像を補正する。画像補正部５４は、補正後の医用断面画像を標準断面画像特定部２０に出力する。
【００４０】
標準断面画像特定部２０は、画像補正部５４によって補正された医用断面画像に対応する３次元標準画像の標準断面画像を特定する。
【００４１】
次に、第２実施の形態の医用画像表示装置５０の動作を図７のフローチャートにしたがって説明する。画像取得部１４は、医用撮影機器で被検者が撮影された３次元医用画像を取得する（ステップ５１）。このとき、３次元医用画像に対応付けられている被検者情報も取得する。
【００４２】
標準断面画像特定部２０は、被検者情報に対応する３次元標準画像を画像データベース１２から取得する（ステップＳ５２）。体表抽出部５２は、ステップＳ５２で取得された３次元標準画像のモデル被写体の体表を画像データベース１２から抽出する（ステップＳ５３）。
【００４３】
次いで、医用断面画像特定部１６は、ユーザの断面選択部１８の操作によって選択された断面の医用断面画像を、ステップＳ１で取得した３次元医用画像の中から特定する（ステップＳ５４）。図８は、ユーザによって選択された断面６０の一例を示す図である。ステップＳ５４で選択された断面は、コロナル断面とする。
【００４４】
次いで、体表抽出部５２は、ステップＳ５１で取得した３次元医用画像から、被検者の体表を抽出する（ステップＳ５５）。次いで、画像補正部５４は、ステップＳ５３で取得したモデル被写体の体表と、ステップＳ５５で抽出された被検者の体表とのズレ量に基づいて、ステップＳ５４で特定した医用断面画像を補正する（ステップＳ５６）。これにより、３次元医用画像が３次元標準画像となるように３次元医用画像を補正した場合における、ユーザによって選択された断面の断面画像を得ることができる。
【００４５】
次いで、標準断面画像特定部２０は、ステップＳ５４で補正された医用断面画像に対応する標準断面画像を、ステップＳ５２で取得した３次元標準画像の中から特定する（ステップＳ５７）。標準断面画像特定部２０は、位置合わせ処理により、所定値以上で一致し、且つ、最も一致する標準断面画像を特定する。これにより、ユーザが３次元医用画像上で選択した断面に対応する３次元標準画像上における断面の場所（位置）がわかる。図９は、特定された標準断面画像の一例を示す図である。
【００４６】
次いで、解剖断面画像特定部２２は、特定した標準断面画像に対応する解剖断面画像を、３次元解剖画像の中から特定して画像データベース１２から取得するともに、解剖学情報を取得する（ステップＳ５８）。３次元解剖画像は、３次元標準画像のモデル被写体の解剖図を表した３次元画像であるので、標準断面画像が分かれば、３次元解剖画像における断面が分かる。
【００４７】
次いで、表示制御部２４は、ステップＳ５４で特定した医用断面画像（ステップＳ５６の補正前の医用断面画像）と、ステップ５８で取得した解剖断面画像を表示部２６に表示させるとともに、解剖断面画像上に、解剖断面画像に表わされる生体組織の名称を表示させる（ステップＳ５９）。
【００４８】
図１０は、表示される解剖断面画像及び生体組織の名称の一例を示す図である。図１０に示される解剖断面画像は、図９に示す標準断面画像に対応する解剖図であり、それぞれの生体組織に名称が付されているのがわかる。これにより、ユーザが読影する断面医用画像の断面に近い解剖断面画像を精度よく特定することができ、ユーザは読影している断面医用画像の断面に近い解剖図を簡単に見ることができる。
【００４９】
このように、３次元医用画像から、被検者の体表を抽出し、抽出された該体表と、モデル被写体の体表とのズレ量に基づいて、医用断面画像を補正して、補正後の該医用断面画像に対応する標準断面画像を特定して解剖断面画像を特定するので、モデル被写体と被検者の体表がズレている場合であっても、読影する医用断面画像に近い解剖断面画像を精度良く特定することができ、医用断面画像に近い解剖図を表示させることができる。
【００５０】
上記実施の形態を、以下のような態様に変形してもよい。
【００５１】
（１）上記第１及び第２実施の形態では、画像取得部１４が、被検者情報が対応付けられた３次元医用画像を取得することで、解剖断面画像特定部２２は、該被検者情報を取得するようにしたが、ユーザが図示しない操作部を操作することで被検者情報を入力し、解剖断面画像特定部２２は、該入力された被検者情報を取得するようにしてもよい。
【００５２】
（２）上記第２実施の形態では、画像データベース１２に３次元標準画像と、該３次元標準画像のモデル被写体の表体を記録するようにしたが、画像データベース１２に体表を記録せずに、体表抽出部５２が、画像データベース１２に記録されている３次元標準画像のモデル被写体の体表を抽出するようにしてもよい。
【００５３】
（３）上記第１及び第２実施の形態では、医用断面画像及び解剖断面画像を表示させるようにしたが、標準断面画像特定部２０が特定した標準断面画像も表示させるようにしてもよい。
【００５４】
（４）上記第１実施の形態ではアキシャル断面を選択し場合を、上記第２実施の形態ではコロナル断面を選択した場合を例にとって説明したが、アキシャル断面及びコロナル断面以外の任意の断面を、断面選択部１８をユーザが操作することで選択することができる。
【００５５】
（５）３次元解剖画像は、複数のアキシャル断面の解剖断面画像からなるようにしたが、アキシャル断面以外の断面の解剖断面画像からなるようにしてもよい。また、３次元解剖画像は、３次元標準画像と同じサイズの画像であってもよいし、サイズが異なっていてもよい。また、３次元解剖画像は、３次元表面（ｓｕｒｆａｃｅ）で表現されてもよい。また、３次元解剖画像は、各断面の臓器等を輪郭線で表したものであってもよい。このとき、各断面の臓器の輪郭線が画像情報として記録されていない場合は、臓器の３次元表面画像、前記輪郭線等を用いて表示させたい解剖断面画像を生成してもよい。また、３次元解剖画像は、複数の臓器の各３次元画像を有する３次元画像の集合体であってもよい。この場合は、表示したい断面の解剖断面画像を、複数の臓器の３次元画像から生成してもよい。
【００５６】
また、解剖断面画像は、解剖図とともに、生体組織の名称が付された画像であってもよい。この場合、画像データベース１２は解剖学情報を記録する必要ないが、ユーザは、断面選択部１８を操作することで選択することができる断面は、解剖断面画像と平行する断面のみとなる。例えば、３次元解剖画像は、コロナル断面の解剖断面画像からなる場合であって、ユーザが選択した断面がアキシャル断面を選択した場合は、アキシャル断面の解剖図を表示させることはできるが、生体組織名称は表示させることができないからである。
【００５７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００５８】
１０、５０…医用画像表示装置            １２…画像データベース
１４…画像取得部                        １６…医用断面画像特定部
１８…断面選択部                        ２０…標準断面画像特定部
２２…解剖断面画像特定部                ２４…表示制御部
２６…表示部                            ５２…体表抽出部
５４…画像補正部
【図１】
2011160882.tif 000003
【図２】
2011160882.tif 000004
【図３】
2011160882.tif 000005
【図４】
2011160882.tif 000006
【図５】
2011160882.tif 000007
【図６】
2011160882.tif 000008
【図７】
2011160882.tif 000009
【図８】
2011160882.tif 000010
【図９】
2011160882.tif 000011
【図１０】
2011160882.tif 000012